(57)【特許請求の範囲】
【請求項１】
放送局から受信した放送コンテンツをグループ化したシリーズ番組を識別するシリーズ識別情報と、前記放送コンテンツを識別するコンテンツ識別情報と、前記放送コンテンツにおいてユーザの操作で再生された範囲のうち、前記放送コンテンツの最後に最も近い再生位置を示した、前記放送コンテンツ毎の最終到達位置とを、対応付けて記憶する記憶手段と、
任意のシリーズ番組を識別する前記シリーズ識別情報と、前記記憶手段で対応付けられた前記コンテンツ識別情報毎の前記最終到達位置を、表示装置に出力する出力制御手段と、
を備えるコンテンツ出力装置。
【請求項２】
前記出力制御手段により前記最終到達位置が出力された前記放送コンテンツの選択を受け付ける受付手段と、
前記受付手段により選択を受け付けた前記放送コンテンツを再生する再生制御手段と、
をさらに備える請求項１に記載のコンテンツ出力装置。
【請求項３】
前記再生制御手段は、前記受付手段により選択を受け付けた前記放送コンテンツについて、当該放送コンテンツの開始位置、前記最終到達位置、ユーザの操作で再生が停止されたレジューム位置、又は前記最終到達位置から所定の時間前から、前記放送コンテンツを再生する、
請求項２に記載のコンテンツ出力装置。
【請求項４】
放送局から受信した放送コンテンツを識別するコンテンツ識別情報と、当該放送コンテンツの前記最終到達位置と、を対応付けて記憶するコンテンツ記憶手段と、
前記コンテンツ識別情報から、放送コンテンツをグループ化したシリーズ番組を識別するシリーズ識別情報を抽出する抽出手段と、
前記抽出手段により抽出された前記シリーズ識別情報と、前記シリーズ識別情報で識別されるシリーズ番組に属する番組コンテンツを示す前記コンテンツ識別情報と、当該番組コンテンツにおける前記最終到達位置と、を対応付けて、前記記憶手段に登録する登録手段と、
をさらに備えることを特徴とする請求項１乃至３のいずれか１つに記載のコンテンツ出力装置。
【請求項５】
コンテンツ出力装置で実行されるコンテンツ出力方法であって、
前記コンテンツ出力装置は、放送局から受信した放送コンテンツをグループ化したシリーズ番組を識別するシリーズ識別情報と、前記放送コンテンツを識別するコンテンツ識別情報と、前記放送コンテンツにおいてユーザの操作で再生された範囲のうち、放送コンテンツの最後に最も近い再生位置を示した、前記放送コンテンツ毎の最終到達位置とを、対応付けて記憶する記憶手段を備え、出力制御手段は、任意のシリーズ番組を識別する前記シリーズ識別情報と、前記記憶手段で対応付けられた前記コンテンツ識別情報毎の前記最終到達位置を、表示装置に出力する出力制御ステップを、
を含むコンテンツ出力方法。
【発明の詳細な説明】
【技術分野】
【０００１】
本発明の実施形態は、コンテンツ出力装置、及びコンテンツ出力方法に関する。
【背景技術】
【０００２】
近年、デジタル機器の普及と共にハードディスクレコーダ等の放送受信装置が一般化しつつあり、従来のＶＴＲ（Video  Tape  Recorder）による記録再生処理の場合よりも、多くの映像情報を容易に記録・再生することが可能となった。このような放送受信装置では、簡易な操作によって予約録画等が可能となるため、膨大な番組コンテンツが記憶領域に記憶できる。この結果、ユーザが録画した番組コンテンツを十二分に把握できていないという状況も発生しうる。
【０００３】
そこで、記憶した番組コンテンツを把握するために様々な技術が提案されている。例えば、コンテンツの記録状態・再生状態をリスト表示する技術が開示されている。他の例としては、コンテンツの視聴を停止した位置を表示する技術が開示されている。
【先行技術文献】
【特許文献】
【０００４】
【特許文献１】特開２００７−１８０７１１号公報
【特許文献２】特開２００９−１３０７４２号公報
【発明の概要】
【発明が解決しようとする課題】
【０００５】
しかしながら、従来技術においては、番組コンテンツの視聴を停止した位置や、再生状態では、ユーザが番組コンテンツをどこまで視聴しているのか把握できない場合も多い。例えば、一度最後まで視聴した番組コンテンツを、繰り返し再生中に停止した場合、当該番組コンテンツで再生を停止した位置が提示されたとしても、ユーザが当該番組コンテンツを最後まで視聴したことがあるのか認識できない。このため、ユーザは、番組コンテンツをグループ化したシリーズ番組において、どこまで視聴したのか認識できないという問題が生じる。
【０００６】
本発明は、上記に鑑みてなされたものであって、シリーズ番組に属する番組コンテンツ毎に、どこまで視聴したのか把握が容易になるコンテンツ出力装置、及びコンテンツ出力方法を提供する。
【課題を解決するための手段】
【０００７】
実施形態のコンテンツ出力装置は、記憶手段と、出力制御手段と、を備える。記憶手段は、放送局から受信した放送コンテンツをグループ化したシリーズ番組を識別するシリーズ識別情報と、放送コンテンツを識別するコンテンツ識別情報と、放送コンテンツにおいてユーザの操作で再生された範囲のうち、放送コンテンツの最後に最も近い再生位置を示した、放送コンテンツ毎の最終到達位置とを、対応付けて記憶する。出力制御手段は、任意のシリーズ番組を識別するシリーズ識別情報と、記憶手段で対応付けられたコンテンツ識別情報毎の最終到達位置を、表示装置に出力する。
【図面の簡単な説明】
【０００８】
【図１】図１は、実施形態にかかるテレビジョン表示装置の主要な信号処理系を示すブロック図である。
【図２】図２は、実施形態にかかる制御部で表示アプリケーションを実行した場合に実現されるソフトウェア構成を示した図である。
【図３】図３は、実施形態にかかる録画コンテンツ情報記憶部のテーブル構造を示した図である。
【図４】図４は、実施形態にかかるシリーズ再生情報記憶部のテーブル構造を示した図である。
【図５】図５は、実施形態にかかるテレビジョン表示装置における画面遷移を示した図である。
【図６】図６は、実施形態にかかる過去番組表の画面例を示した図である。
【図７】図７は、実施形態にかかる過去番組表上に表示された番組指定再生画面の例を示した図である。
【図８】図８は、実施形態にかかるシリーズ番組再生プレイリストの画面例を示した図である。
【図９】図９は、実施形態にかかる現在の電子番組表の画面例を示した図である。
【図１０】図１０は、実施形態にかかる電子番組表上に表示された番組指定予約画面の例を示した図である。
【図１１】図１１は、実施形態にかかるテレビジョン表示装置において、番組コンテンツを再生するまでの処理の手順を示すフローチャートである。
【発明を実施するための形態】
【０００９】
以下に示す実施形態では、コンテンツ出力装置、及びコンテンツ出力方法をテレビジョン表示装置に適用した例について説明する。なお、本実施形態では、コンテンツ出力装置を、テレビジョン表示装置に適用した例について説明するが、ＤＶＤレコーダなどの番組コンテンツ録画装置等の様々な装置に適用しても良い。
【００１０】
次に、本実施形態にかかるテレビジョン表示装置１００のハードウェア構成について説明する。図１は、本実施形態にかかるテレビジョン表示装置１００の主要な信号処理系を示すブロック図である。
【００１１】
ＢＳ／ＣＳデジタル放送受信用のアンテナ２４１で受信した衛星デジタルテレビジョン放送信号は、入力端子２０１を介して衛星デジタル放送用のチューナ２０２ａに供給される。
【００１２】
チューナ２０２ａは、制御部２０５からの制御信号により所望のチャネルの放送信号を選局し、この選局された放送信号をＰＳＫ（Ｐｈａｓｅ  Ｓｈｉｆｔ  Ｋｅｙｉｎｇ）復調器２０２ｂに出力する。
【００１３】
ＰＳＫ復調器２０２ｂは、制御部２０５からの制御信号により、チューナ２０２ａで選局された放送信号を復調し、所望の番組を含んだトランスポートストリーム（ＴＳ）を得て、ＴＳ復号器２０２ｃに出力する。
【００１４】
ＴＳ復号器２０２ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファ（図示せず）へ出力する。
【００１５】
また、ＴＳ復号器２０２ｃは、デジタル放送により送られているセクション情報を信号処理部２０６内のセクション処理部（図示せず）へ出力する。
【００１６】
地上波放送受信用のアンテナ２４２で受信した地上デジタルテレビジョン放送信号は、入力端子２０３を介して地上デジタル放送用のチューナ２０４ａに供給される。
【００１７】
チューナ２０４ａは、制御部２０５からの制御信号により所望のチャネルの放送信号を選局し、この選局された放送信号をＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調器２０４ｂに出力する。
【００１８】
ＯＦＤＭ復調器２０４ｂは、制御部２０５からの制御信号により、チューナ２０４ａで選局された放送信号を復調し、所望の番組を含んだトランスポートストリームを得て、ＴＳ復号器２０４ｃに出力する。
【００１９】
ＴＳ復号器２０４ｃは、制御部２０５からの制御信号によりトランスポートストリーム（ＴＳ）多重化された信号のＴＳ復号処理を行い、所望の番組のデジタルの映像信号及び音声信号をデパケットすることにより得たＰＥＳ（Ｐａｃｋｅｔｉｚｅｄ  Ｅｌｅｍｅｎｔａｒｙ  Ｓｔｒｅａｍ）を信号処理部２０６内のＳＴＤバッファへ出力する。
【００２０】
また、ＴＳ復号器２０４ｃは、デジタル放送により送られているセクション情報を信号処理部２０６内のセクション処理部へ出力する。
【００２１】
ここで、上記信号処理部２０６は、テレビ視聴時には、ＴＳ復号器２０２ｃおよびＴＳ復号器２０４ｃからそれぞれ供給されたデジタルの映像信号及び音声信号に対して、選択的に所定のデジタル信号処理を施し、グラフィック処理部２０７及び音声処理部２０８に出力している。一方、番組録画時には、ＴＳ復号器２０２ｃおよびＴＳ復号器２０４ｃからそれぞれ供給されたデジタルの映像信号及び音声信号に対して、選択的に所定のデジタル信号処理を施した信号を、制御部２０５を介して録画用記録装置（例えば、ＨＤＤ）２７０に記録している。これにより放送局により放送された番組コンテンツを記憶できる。
【００２２】
また、信号処理部２０６は、録画番組再生時には、制御部２０５を介して録画用記録装置（例えば、ＨＤＤ）２７０から読み出された番組コンテンツに、所定のデジタル信号処理を施し、グラフィック処理部２０７及び音声処理部２０８に出力している。
【００２３】
制御部２０５には、信号処理部２０６から、番組を取得するための各種データ（Ｂ−ＣＡＳデスクランブル用の鍵情報等）や電子番組ガイド（ＥＰＧ）情報、番組属性情報（番組ジャンル等）、字幕情報等（サービス情報、ＳＩやＰＳＩ）が入力されている。
【００２４】
制御部２０５は、これら入力された情報からＥＰＧ、字幕を表示するため画像生成処理を行い、この生成した画像情報をグラフィック処理部２０７へ出力する。
【００２５】
また、この制御部２０５は、番組録画および番組予約録画を制御する機能を有し、番組予約受付時には、表示部２１１に電子番組ガイド（ＥＰＧ）情報を表示し、操作部２２０またはリモートコントローラ２２１を介したユーザ入力により予約内容を、記憶部２７１に設定する。これは、受光部２２２が、リモートコントローラ２２１からの操作信号を受光することで実現できる。
【００２６】
制御部２０５は記憶部２７１に設定された予約内容に従って、設定された時刻に予約番組を録画するようチューナ２０２ａ、２０４ａ、ＰＳＫ復調器２０２ｂ、ＯＦＤＭ復調器２０４ｂ、ＴＳ復号器２０２ｃ、２０４ｃおよび信号処理部２０６を制御する。
【００２７】
セクション処理部は、ＴＳ復号器２０２ｃ（２０４ｃ）から入力されたセクション情報の中から、番組を取得するための各種データや電子番組ガイド（ＥＰＧ）情報、番組属性情報（番組ジャンル等）、字幕情報等（サービス情報、ＳＩやＰＳＩ）を制御部２０５へ出力する。
【００２８】
グラフィック処理部２０７は、（１）信号処理部２０６内のＡＶデコーダ（図示せず）から供給されるデジタルの映像信号と、（２）ＯＳＤ（Ｏｎ  Ｓｃｒｅｅｎ  Ｄｉｓｐｌａｙ）信号生成部２０９で生成されるＯＳＤ信号と、（３）データ放送による画像データと、（４）制御部２０５により生成されたＥＰＧ、字幕信号とを合成して映像処理部２１０へ出力する機能を有する。
【００２９】
また、字幕放送による字幕を表示するとき、グラフィック処理部２０７は、制御部２０５からの制御による字幕情報に基づき、映像信号上に字幕情報を重畳する処理を行う。
【００３０】
グラフィック処理部２０７から出力されたデジタルの映像信号は、映像処理部２１０に供給される。この映像処理部２１０は、入力されたデジタルの映像信号を、表示部２１１
で表示可能なフォーマットのアナログ映像信号に変換した後、表示部２１１に出力して、表示部２１１の表示画面上に映像表示させる。
【００３１】
また、音声処理部２０８は、入力されたデジタルの音声信号を、音声出力装置２１２で再生可能なアナログ音声信号に変換した後、音声出力装置２１２に出力して音声を再生させる。
【００３２】
制御部２０５は、ＲＯＭ（Ｒｅａｄ  Ｏｎｌｙ  Ｍｅｍｏｒｙ）２０５ａと、当該ＣＰＵに作業エリアを提供するＲＡＭ（Ｒａｎｄｏｍ  Ａｃｃｅｓｓ  Ｍｅｍｏｒｙ）２０５ｂと、各種の設定情報及び制御情報等が格納される不揮発性メモリ２０５ｃと、を備え、テレビジョン表示装置１００全体を制御する。
【００３３】
また、この制御部２０５は、カードＩ／Ｆ（Ｉｎｔｅｒｆａｃｅ）２２３を介して、第１のメモリカード２２４が装着可能なカードホルダ２２５に接続されている。これによって、制御部２０５は、カードホルダ２２５に装着された第１のメモリカード２２４と、カードＩ／Ｆ２２３を介して情報伝送することができる。
【００３４】
さらに、制御部２０５は、カードＩ／Ｆ２２６を介して、第２のメモリカード２２７が装着可能なカードホルダ２２８に接続されている。これにより、制御部２０５は、カードホルダ２２８に装着された第２のメモリカード２２７と、カードＩ／Ｆ２２６を介して情報伝送することができる。
【００３５】
また、制御部２０５は、通信Ｉ／Ｆ２２９を介して第１のＬＡＮ端子２３０に接続されている。これにより、制御部２０５は、第１のＬＡＮ端子２３０に接続されたＬＡＮ対応の機器（例えば、外付けＨＤＤ）と、通信Ｉ／Ｆ２２９を介して情報伝送することができる。
【００３６】
さらに、制御部２０５は、通信Ｉ／Ｆ２３１を介して第２のＬＡＮ端子２３２に接続されている。これにより、制御部２０５は、第２のＬＡＮ端子２３２に接続されたＬＡＮ対応の各種機器と、通信Ｉ／Ｆ２３１を介して情報伝送することができる。
【００３７】
また、制御部２０５は、ＵＳＢ  Ｉ／Ｆ２３３を介してＵＳＢ端子２３４に接続されている。これにより、制御部２０５は、ＵＳＢ端子２３４に接続された各種機器と、ＵＳＢ  Ｉ／Ｆ２３３を介して情報伝送することができる。
【００３８】
図１には、チューナ２０２ａ、２０４ａしか記載しなかったが、本実施形態にかかるテレビジョン表示装置１００は、さらに多くのチューナ（例えば合計６個のチューナ）を備える。そして、テレビジョン表示装置１００は、チューナの数分の放送局で放送される番組を同時録画する。
【００３９】
次に、ＲＯＭ２０５ａに格納された制御プログラムのうち、表示部２１１に番組コンテンツを出力するための表示アプリケーション２０５ｄを実行した場合に行われる処理について説明する。図２は、制御部２０５で表示アプリケーション２０５ｄを実行した場合に実現されるソフトウェア構成を示した図である。さらに、図２は、記憶部２７１内の構成も示した。
【００４０】
記憶部２７１は、録画コンテンツ情報記憶部１１１と、シリーズ再生情報記憶部１１２と、を備える。
【００４１】
また、記憶部２７１は、電子番組表（ＥＰＧ：Electronic  Program  Guide）を管理・配信している外部サーバ、またはＴＶ放送から取得した電子番組表を記憶する。具体的には、インターネットなどのネットワーク網に接続されたサービス提供者のサーバ装置から、ＴＶ、ＣＡＴＶ、ＣＳ放送、ＢＳ放送などの電子番組表を取得、又はＴＶ放送により放送された電子番組表を、アンテナやケーブル（不図示）を介して受信する。そして、記憶部２７１は、電子番組表を記憶している。
【００４２】
また、記憶部２７１は、放送が終了した後に当該電子番組表を削除するのではなく、複数のチューナにより同時録画された各放送局の番組コンテンツを参照するために、過去番組表として記憶しておく。
【００４３】
本実施形態にかかるテレビジョン表示装置１００では、番組コンテンツの同時録画の他に、ユーザの操作に基づいて番組コンテンツの予約録画を行うことができる。
【００４４】
録画コンテンツ情報記憶部１１１は、録画用記録装置２７０に記憶された録画コンテンツ毎の情報を記憶する。図３は、録画コンテンツ情報記憶部１１１のテーブル構造を示した図である。図３に示すように、録画コンテンツ情報記憶部１１１は、番組タイトルと、開始時刻と、放送時間と、最終到達位置と、レジュームポイントと、を対応付けて記憶している。
【００４５】
録画用記録装置２７０に記憶された録画コンテンツは、放送局から受信した番組コンテンツとする。番組タイトルは、当該番組コンテンツの番組タイトルとする。開始時刻は、当該番組コンテンツの放送が開始された時刻とする。本実施形態では、開始時刻として、ＵＴＣ形式を用いているが他の形式を用いても良い。放送時間は、番組コンテンツの放送された時間の合計とする。
【００４６】
最終到達位置は、番組コンテンツにおいてユーザの操作で再生（視聴）された範囲のうち、当該番組コンテンツの最後に最も近い再生位置を示している。この最終到達位置は、番組コンテンツ毎に設定されている。
【００４７】
図３に示す例において、番組タイトル“Ｚガール  ＃１”では、放送時間が“３６００”であり、最終到達位置が“３６００”であることから、番組コンテンツは最後まで再生されたことを示している。しかしながら、ユーザが当該番組コンテンツを複数回視聴し、視聴途中で当該番組コンテンツを停止した場合、レジュームポイントには、当該停止位置（例えば“１４００”）が記録される。つまり、従来のレジュームポイントを表示する手法では、ユーザは、当該番組コンテンツを最後まで視聴したか否かを把握できない。特に録画する番組コンテンツの量が膨大になると、各番組コンテンツの視聴状況を把握できなくなる。そこで、本実施形態では、最終到達位置を、ユーザに対して提示することとした。
【００４８】
シリーズ再生情報記憶部１１２は、シリーズ番組に属する各番組コンテンツの情報を記憶する。図４は、シリーズ再生情報記憶部１１２のテーブル構造を示した図である。図３に示すように、シリーズ再生情報記憶部１１２は、シリーズ名と、インデックスと、番組タイトルと、開始時刻と、放送時間と、最終到達位置と、を対応付けて記憶している。本実施形態では、シリーズ名と、インデックスと、の組み合わせが主キーとなる。
【００４９】
シリーズ名は、放送局から受信した番組コンテンツをグループ化したシリーズ番組の名称を示している。インデックスは、シリーズ番組で各番組コンテンツを識別する番号を示している。本実施形態では、当該インデックスに、各番組コンテンツの話数を設定する。
【００５０】
図２に戻り、表示アプリケーションは、抽出部１０１と、登録部１０２と、表示制御部１０３と、選択受付部１０４と、再生制御部１０５と、を対応付けて記憶する。
【００５１】
表示制御部１０３は、表示部２１１に対して、データの表示制御を行う。
【００５２】
選択受付部１０４は、リモートコントローラ２２１から入力された操作情報に従って、ユーザが行った選択又は操作を受け付ける。
【００５３】
次に、選択受付部１０４が受け付けた選択又は操作に従って、表示制御部１０３が表示制御する画面遷移について説明する。図５は、テレビジョン表示装置１００における画面遷移を示した図である。
【００５４】
図５に示すように、表示制御部１０３が過去番組表５０１を表示した後、選択受付部１０４が所定の操作を受け付けた場合、表示制御部１０３が、番組指定再生画面５０２を表示する。その後、選択受付部１０４がシリーズ番組再生プレイリスト５０３を表示するための操作を受け付けた場合に、表示制御部１０３が、シリーズ番組再生プレイリスト５０３を表示制御する。
【００５５】
図６は、過去番組表の画面例を示した図である。本実施形態では、記憶部２７１が、過去に放送された番組に関する情報を記憶している。そして、選択受付部１０４が、過去番組表を表示するための操作を受け付けた場合に、表示制御部１０３が過去番組表を表示する。そして図６に示すように、過去番組表において、フォーカスされている番組コンテンツ６０１は、枠を強調して表示する。
【００５６】
そして、選択受付部１０４が、過去番組表から、番組コンテンツの選択を受け付けた場合に、表示制御部１０３は、番組指定再生画面を表示する。
【００５７】
図７は、過去番組表上に表示された番組指定再生画面７０１の例を示した図である。図７に示す番組指定再生画面７０１には、選択された番組コンテンツの詳細な情報の他に、“見る”、“保存する”、“シリーズ予約”、“シリーズ再生”などのボタンが表示される。そして、選択受付部１０４が、これらボタンの押下を受け付けることで、テレビジョン表示装置１００は、当該ボタンに対応した処理を行う。例えば、選択受付部１０４が“シリーズ再生”ボタン７０２の押下を受け付けた場合、表示制御部１０３は、シリーズ番組再生プレイリストの表示制御を行う。
【００５８】
“シリーズ再生”のボタンが押下された場合、抽出部１０１は、番組指定再生画面７０１で指定されている番組コンテンツから、当該番組コンテンツを含むシリーズ番組の名称（以下、シリーズ名と称す）を抽出する。そして、表示制御部１０３は、抽出されたシリーズ名と、シリーズ再生情報記憶部１１２で対応付けられた番組コンテンツの情報を読み出し、当該シリーズ番組に属する番組コンテンツ毎に、最終到達位置が示されたシリーズ番組再生プレイリストを表示部２１１に表示する。
【００５９】
図８は、シリーズ番組再生プレイリストの画面例を示した図である。図８に示すように、シリーズ番組再生プレイリストでは、シリーズ番組を構成する番組コンテンツ毎に、当該番組コンテンツを識別する“話数”と、最終到達位置を示す“矢印”と、が表示される。また、シリーズ番組再生プレイリストには、“最初から”ボタン８０１と、“最終等到達位置から”ボタン８０２と、“レジューム位置から”ボタン８０３と、“最終到達位置の１０秒前から”ボタン８０４と、が配置されている。
【００６０】
本実施形態にかかるシリーズ番組再生プレイリスト画面では、シリーズ番組に属する番組コンテンツ毎に、最終到達位置が表示されるため、ユーザが当該シリーズ番組をどこまで視聴したのか把握することができる。
【００６１】
選択受付部１０４は、表示制御部１０３により最終到達位置が表示された番組コンテンツの一覧から、再生する番組コンテンツの選択を受け付ける。次に、選択受付部１０４は、ボタン８０１〜８０４のいずれかの押下（選択）を受け付ける。
【００６２】
再生制御部１０５は、選択受付部１０４で選択を受け付けた番組コンテンツを、録画用記録装置２７０から読み出して、押下されたボタンに対応した位置から再生する。本実施形態にかかる再生制御部１０５は、押下されたボタンに応じて、番組コンテンツの開始位置、最終到達位置、ユーザの操作で再生が停止されたレジュームポイント、又は最終到達位置から１０秒前から、番組コンテンツを再生する、なお、本実施形態では、最終到達位置から所定時間前の例として、１０秒前の場合について示したが、１０秒に制限するものではなく、ユーザが番組コンテンツの内容を思い出すために適した時間が設定される。
【００６３】
図５に戻り、表示制御部１０３が現在の番組表５０４を表示した際、選択受付部１０４が所定の操作を受け付けた場合、表示制御部１０３が、番組指定予約画面５０５を表示する。その後、選択受付部１０４がシリーズ番組再生プレイリスト５０３を表示するための操作を受け付けた場合に、表示制御部１０３が、シリーズ番組再生プレイリスト５０３を表示制御する。
【００６４】
図９は、現在の電子番組表の画面例を示した図である。本実施形態では、選択受付部１０４が、電子番組表の表示する操作を受け付けた場合に、表示制御部１０３が、記憶部２７１から読み出した現在の電子番組表を表示する。図９に示すように、電子番組表において、フォーカスされている番組コンテンツ９０１は、枠を強調されて表示される。
【００６５】
そして、選択受付部１０４が、電子番組表から、番組コンテンツの選択を受け付けた場合に、表示制御部１０３は、番組指定予約画面を表示する。
【００６６】
図１０は、電子番組表上に表示された番組指定予約画面１００１の例を示した図である。図１０に示す番組指定予約画面１００１には、選択された番組コンテンツの詳細な情報の他に、“視聴予約”、“録画予約”、“シリーズ予約”、“シリーズ再生”などのボタンが表示される。そして、選択受付部１０４が、これらボタンの押下を受け付けることで、テレビジョン表示装置１００は、当該ボタンに対応した処理を行う。例えば、選択受付部１０４が“シリーズ再生”ボタン１００２の押下を受け付けた場合、表示制御部１０３は、シリーズ番組再生プレイリストの表示制御を行う。
【００６７】
シリーズ番組再生プレイリストの表示制御するための処理は、過去番組表からシリーズ番組再生プレイリストを表示した場合の処理と同様とする。これにより、図８で示したようなシリーズ番組再生プレイリストが表示される。
【００６８】
なお、本実施形態にかかるテレビジョン表示装置１００では、シリーズ再生情報記憶部１１２にシリーズ番組に関する情報が登録されていない場合、登録部１０２が、録画コンテンツ情報記憶部１１１から読み出した情報を、シリーズ番組に関する情報としてシリーズ再生情報記憶部１１２に登録する。
【００６９】
つまり、抽出部１０１は、番組コンテンツを識別する番組タイトルから、番組コンテンツをグループ化したシリーズ番組を識別するシリーズ名を抽出する。
【００７０】
そして、登録部１０２は、抽出部１０１により抽出されたシリーズ名と、シリーズ名で識別されるシリーズ番組に属する番組コンテンツを示す番組タイトルと、番組コンテンツにおける最終到達位置と、を対応付けて、シリーズ再生情報記憶部１１２に登録する。
【００７１】
次に、本実施形態にかかるテレビジョン表示装置１００において、シリーズ番組再生プレイリストを表示した後、番組コンテンツを再生するまでの処理について説明する。図１１は、本実施形態にかかるテレビジョン表示装置１００における上述した処理の手順を示すフローチャートである。
【００７２】
まず、表示制御部１０３が表示制御した番組指定再生画面又は番組指定予約画面から、選択受付部１０４は、“シリーズ再生“ボタンの選択を受け付ける（ステップＳ１１０１）。
【００７３】
次に、抽出部１０１が、番組指定再生画面又は番組指定予約画面において指定されていた番組コンテンツの番組タイトルを解析し、シリーズ名を抽出する（ステップＳ１１０２）。その後、表示制御部１０３は、抽出されたシリーズ名をキーワードとして、シリーズ再生情報記憶部１１２を検索する（ステップＳ１１０３）。
【００７４】
そして、表示制御部１０３は、シリーズ名が一致したレコード数が‘０’であるか否かを判定する（ステップＳ１１０４）。シリーズ名が一致したレコード数が‘０’でない場合（ステップＳ１１０４：Ｎｏ）、ステップＳ１１０７に移動する。
【００７５】
一方、表示制御部１０３は、シリーズ名が一致したレコード数が‘０’である場合（ステップＳ１１０４：Ｙｅｓ）、シリーズ名を含む“番組タイトル”を有するレコードを、録画コンテンツ情報記憶部１１１から検索する（ステップＳ１１０５）。
【００７６】
その後、登録部１０２が、検出されたレコードに含まれている“番組タイトル”、“開始時刻”、“放送時間”、及び“最終到達位置”を、シリーズ名及びインデックスと対応付けて、シリーズ再生情報記憶部１１２に登録する（ステップＳ１１０６）。
【００７７】
その後、表示制御部１０３が、シリーズ再生情報記憶部１１２で、シリーズ名と対応付けられた番組コンテンツ毎に、最終到達位置が示された一覧（シリーズ番組再生プレイリスト）を表示する（ステップＳ１１０７）。
【００７８】
そして、選択受付部１０４が、シリーズ番組再生プレイリストに示された番組コンテンツから、再生する番組コンテンツの選択を受け付ける（ステップＳ１１０８）。選択受付部１０４が番組コンテンツの選択を受け付けなかった場合（ステップＳ１１０８：Ｎｏ）、ステップＳ１１０７に示された一覧の表示を、表示制御部１０３が継続して行う。
【００７９】
選択受付部１０４が番組コンテンツの選択を受け付けた場合（ステップＳ１１０８：Ｙｅｓ）、再生制御部１０５が、選択を受け付けた番組コンテンツを再生する（ステップＳ１１０９）。その際、再生制御部１０５は、選択されたボタンに応じて、番組コンテンツの開始位置、最終到達位置、ユーザの操作で再生が停止されたレジュームポイント、又は最終到達位置から１０秒前から、番組コンテンツを再生する。
【００８０】
上述した処理手順により、ユーザはシリーズ番組に属する番組コンテンツ毎の視聴状況を把握できるため、当該シリーズ番組に属する番組コンテンツを視聴する際の利便性が向上する。
【００８１】
ところで、これから、記憶装置の大容量化、トランスコードの技術の発達により、数週間から数ヶ月の間、複数の放送局から放送される番組コンテンツを同時録画できるようになる可能性が高い。このような場合に、ユーザは、記録済みのシリーズ番組が多いと、各シリーズ番組毎に何話のどこまで視聴したかのか把握できなくなる場合がある。
【００８２】
上述した実施形態にかかるテレビジョン表示装置１００では、シリーズ番組に属する番組コンテンツ毎の最終到達位置の視認が容易になった。これにより、ユーザは、各番組コンテンツを、どこまで視聴したのかを把握することが容易となる。
【００８３】
本実施形態のテレビジョン表示装置１００で実行される表示アプリケーション２０５ｄは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００８４】
また、本実施形態のテレビジョン表示装置１００で実行される表示アプリケーション２０５ｄを、インターネット等のネットワークに接続されたコンピュータ上に格納し、ネットワーク経由でダウンロードさせることにより提供するように構成しても良い。また、本実施形態のテレビジョン表示装置１００で実行される表示アプリケーション２０５ｄをインターネット等のネットワーク経由で提供または配布するように構成しても良い。
【００８５】
また、本実施形態の表示アプリケーション２０５ｄを、ＲＯＭ等に予め組み込んで提供するように構成してもよい。
【００８６】
本実施形態のテレビジョン表示装置１００で実行される表示アプリケーション２０５ｄは、上述した各部（抽出部、登録部、表示制御部、選択受付部、再生制御部）を含むモジュール構成となっており、実際のハードウェアとしてはＣＰＵ（プロセッサ）が上記記憶媒体から表示アプリケーション２０５ｄを読み出して実行することにより上記各部がＲＡＭ２０５ｄ上にロードされ、抽出部、登録部、表示制御部、選択受付部、再生制御部がＲＡＭ２０５ｄ上に生成されるようになっている。
【００８７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１００…テレビジョン表示装置、１０１…抽出部、１０２…登録部、１０３…表示制御部、１０４…選択受付部、１０５…再生制御部、１１１…録画コンテンツ情報記憶部、１１２…シリーズ再生情報記憶部、２０５ｄ…表示アプリケーション、２７０…録画用記録装置、２７１…記憶部。
【要約】
【課題】シリーズ番組に属する番組コンテンツ毎に、どこまで視聴したのか把握が容易になる。
【解決手段】実施形態のコンテンツ出力装置は、記憶手段と、出力制御手段と、を備える。記憶手段は、放送局から受信した放送コンテンツをグループ化したシリーズ番組を識別するシリーズ識別情報と、放送コンテンツを識別するコンテンツ識別情報と、放送コンテンツにおいてユーザの操作で再生された範囲のうち、放送コンテンツの最後に最も近い再生位置を示した、放送コンテンツ毎の最終到達位置とを、対応付けて記憶する。出力制御手段は、任意のシリーズ番組を識別するシリーズ識別情報と、記憶手段で対応付けられたコンテンツ識別情報毎の最終到達位置を、表示装置に出力する。
【選択図】図２【図１】
0005143269.tif 000002
【図２】
0005143269.tif 000003
【図３】
0005143269.tif 000004
【図４】
0005143269.tif 000005
【図５】
0005143269.tif 000006
【図６】
0005143269.tif 000007
【図７】
0005143269.tif 000008
【図８】
0005143269.tif 000009
【図９】
0005143269.tif 000010
【図１０】
0005143269.tif 000011
【図１１】
0005143269.tif 000012